(57)【要約】      （修正有） 【課題】複数面で文字等を消すことが可能で使用寿命が長く、磁性体からなるホワイトボードに容易且つしっかりと磁着可能なホワイトボード用イレーザーを提供する。  【解決手段】横長に形成した多面柱体３の表面にはホワイトボードに書かれた文字等を消すことのできる拭取体４を形成するとともに、多面柱体３の一面若しくは複数面上と前記拭取体４下面との間にスチール等の磁性体からなるホワイトボード磁着用磁石体５を配置してなるイレーザー本体２と把持部材６とからなるホワイトボード用イレーザー１。【選択図】図２
0003114992.tif 000002
【実用新案登録請求の範囲】
【請求項１】
横長に形成した多面柱体の表面にはホワイトボードに書かれた文字等を消すことのできる拭取体を形成するとともに、前記多面柱体の一面若しくは複数面上と前記拭取体下面との間にスチール等の磁性体からなるホワイトボード磁着用磁石体を配置してなるイレーザー本体と把持部材とからなることを特徴とするホワイトボード用イレーザー。
【請求項２】
多面柱体は、正四角柱体とするとともに表面に不織布等のシートからなる拭取体を止着したことを特徴とする請求項１記載のホワイトボード用イレーザー。
【請求項３】
磁石体は、正四角柱体の相対向する面に配置されたことを特徴とする請求項２記載のホワイトボード用イレーザー。
【請求項４】
多面柱体は、合成樹脂製発泡体等の弾性体としたことを特徴とする請求項１乃至３記載のホワイトボード用イレーザー。
【請求項５】
磁石体は、表面を多面柱体の表面と同一面上に位置すべく多面柱体に埋設されたことを特徴とする請求項１乃至４に記載のホワイトボード用イレーザー。
【請求項６】
把持部材はイレーザー本体を着脱自在に収納するケース体としたことを特徴とする請求項１乃至５記載のホワイトボード用イレーザー。
【考案の詳細な説明】
【技術分野】
【０００１】
本発明は、ホワイトボード用のイレーザーに関し、特に、ホワイトボード等に書かれた文字等を消し残し無く拭取り消去することが可能であるとともに、磁性体からなるホワイトボードに容易に磁着可能な構成のホワイトボード用イレーザーに関する。
【背景技術】
【０００２】
磁性体からなるホワイトボードに磁着可能な構成のホワイトボード用イレーザーとしては、特許文献１に記載の黒板、ホワイトボード等筆記板用イレーザー（以下単にイレーザーという。）がある。このイレーザーは、一般的な扁平横長の略直方体構造のイレーザーであって、使用者が握って文字等を消すプラスチック製の把持部の下面にインク拭取り用の布地が接着されていて、把持部の長手方向側面の一面にはイレーザーをホワイトボードへ磁着するための薄型磁石体が接着されている。
【０００３】
上記特許文献１に記載のイレーザーによれば、ホワイトボード下辺部にイレーザー載置用のトレー等を備える必要がなくなり、不使用時にはイレーザーをホワイトボードに磁着しておくだけでよいというメリットがある。
【０００４】
しかし、上記特許文献１に記載のイレーザーは、拭取り用布地がイレーザー下面の一面のみに接着されているため、文字等の消去により一度インクが染み込むと、拭取り用布地を含むイレーザー全体を交換する必要がありイレーザーの使用寿命が短かった。また、イレーザーが扁平横長の直方体構造であるため拭取用布地の幅は広く、大きな文字等を迅速に消去することは可能である反面、小さな文字を消しにくいという問題点があった。
【０００５】
さらには、イレーザーが扁平横長な構造であり比較的面積の小さい長手方向側面に接着した磁石体で大型のイレーザー全体の荷重を支持するため、上下方向からの押力に弱く落下しやすいという問題点があった。
【特許文献１】特開2002-333468号公報
【考案の開示】
【考案が解決しようとする課題】
【０００６】
上記問題点を解決すべく、本考案の第一の目的は、複数の面で文字等を消すことが可能な使用寿命の長いホワイトボード用イレーザーの提供をすることである。
【０００７】
本考案の第二の目的は、磁性体からなるホワイトボードにしっかりと磁着可能でスムース且つ迅速に文字等を拭取り消去可能なホワイトボード用イレーザーを提供することである。
【０００８】
本考案の第三の目的は、ホワイトボードの大きな面積に書かれた文字等と小さなスペースに書かれた文字等のどちらも容易、迅速且つ消し残しなく消去可能なホワイトボード用イレーザーを提供することである。
【課題を解決するための手段】
【０００９】
上記目的を達成するため、横長に形成した多面柱体の表面にはホワイトボードに書かれた文字等を消すことのできる拭取体を形成するとともに、前記多面柱体の一面若しくは複数面上と前記拭取体下面との間にスチール等の磁性体からなるホワイトボードに対し磁着用磁石体を配置してなるイレーザー本体と把持部材とからなることを特徴とする。
【００１０】
多面柱体は、正四角柱体とするとともに表面に不織布等のシートからなる拭取体を止着したことを特徴とする。
【００１１】
磁石体は正四角柱体の相対向する面に配置されたことを特徴とする。
【００１２】
多面柱体は、合成樹脂製発泡体等の弾性体としたことを特徴とする。
【００１３】
磁石体は、表面を多面柱体の表面と同一面上に位置すべく多面柱体に埋設されたことを特徴とする。
【００１４】
把持部材はイレーザー本体を着脱自在に収納するケース体としたことを特徴とする
【考案の効果】
【００１５】
横長に形成した多面柱体の表面にはホワイトボードに書かれた文字等を消すことのできる拭取体を形成するとともに、前記多面柱体の一面若しくは複数面上と前記拭取体下面との間にスチール等の磁性体からなるホワイトボード磁着用磁石体を配置してなるイレーザー本体と把持部材とからなる構成としたことで、ホワイトボード用イレーザーをホワイトボードに容易に磁着することができる。特に、磁石体を多面柱体長手方向の複数面上に配置し、拭取体を多面柱体の複数面に形成すれば、イレーザー本体の複数面をホワイトボードに磁着可能であるとともに複数面でホワイトボードに書かれた文字等を消すことが可能である。即ち、文字等の消去により拭取体のある面にインクが染み込んで消去不能になったときには、未だインクの染み込んでいない他の面を使用すれば再び文字等を消すことが可能であり、ホワイトボード用イレーザー全体をその都度を交換廃棄する必要がない。したがって、ホワイトボード用イレーザーの使用寿命は長く、ひいては環境保護に資するという効果がある。
【００１６】
横長に形成した多面柱体は、正四角柱体とするとともに表面に不織布等のシートからなる拭取体を止着したことで、長手方向の四面のうちどの面を拭取り用の面としてもケース体内に収納可能となる。即ち、ある面の拭取体がインクで汚れた場合には、他の面がホワイトボードに当接する下面となるようにケース体に収納しなおして消去作業を行うことができ、ホワイトボード用イレーザー全体をその都度交換廃棄する必要がない。
【００１７】
さらに、磁着する面の幅と磁着したときにホワイトボード手前側に突出する幅の面積が同じであるため、従来の扁平直方体状のイレーザーに比べしっかりホワイトボード用イレーザーの荷重を支持することが可能で、落下しにくいという効果がある。
【００１８】
さらにホワイトボード用イレーザー長手方向に対して幅方向の長さを小さく形成すれば、ホワイトボード用イレーザーをイレーザー長手方向と直交する方向に引けば広い面積を消すことができ、該長手方向と平行に引けば狭いスペースで隣接する文字等を消すことなく消去したい文字等のみを消去することができる。
【００１９】
磁石体は正四角柱体の相対向する面に配置したことで、イレーザー本体の少なくとも二面が磁着可能で、磁着した状態のまま簡単に拭取体で文字等を消去することができる。
【００２０】
多面柱体を合成樹脂製発泡体等の弾性体としたことで、多面柱体の弾性力により拭取体がホワイトボードにぴったりと密着し、ホワイトボードに書かれた文字等を消し残しなくすばやく容易に消すことができる。さらに、イレーザー本体をケース体に収納したときにも弾性体の反発力によりケース体内から脱落しない構造になっている。
【００２１】
磁石体は、表面を多面柱体の表面と同一面上に位置すべく多面柱体に埋設されたことで磁着状態のまま簡単に拭取体で文字等を消去することができするとともに、拭取体がホワイトボードにぴったりと密着しホワイトボード書かれた文字等を消し残しなくスムース且つ迅速に消去することができる。
【００２２】
把持部材は、イレーザー本体を着脱自在に収納するケース体としたことで、使用者が把持し易く、さらに既にインクが染み込んだ拭取体の面をケース体内に収納することで汚れた拭取体に直接触れることなく文字等の消去作業ができる。
【考案を実施するための最良の形態】
【００２３】
図１に示すホワイトボード用イレーザー１は、ホワイトボードに書かれた文字等を消すためのイレーザー本体２とイレーザー本体２が収納され使用者が把持する把持部材としてのケース体６とで構成されている。
【００２４】
イレーザー本体２は、芯材としての横長の多面柱体３と多面柱体３の表面に止着される拭取体４と、多面柱体３と拭取体４との間に配置される磁石体５ａ、５ｂとからなる。
【００２５】
図２に示すように、本実施の形態において多面柱体３は、幅Lと高さHの長さが略同一の正四角柱体状に裁断された合成樹脂製発泡体等の弾性体で形成されている。本実施の形態においては、幅L、高さHともに３cm程度、長手方向の長さは１０cm程度の使用者が把持し易いサイズの正四角柱体形状に形成されている。尚、本実施の形態のように多面柱体は正四角柱体とすることが望ましいが三角柱体等のその他多面柱体であってもよいし、扁平の直方体であってもよい。
【００２６】
多面柱体３の長手方向の四面には、例えばフェルト等の不織布からなりインク等を拭取ることができる拭取体４が接着剤で止着されている。さらに、多面柱体３と拭取体４の間には、磁石体５ａ、５ｂが配置されている。本実施の形態においては、異方性永久磁石からなる２つの磁石体５a、５ｂの表面が多面柱体３表面と同一面上に位置し、面一となるように埋設され、その上を覆うように拭取体４が接着されている。
【００２７】
この磁石体５a、５ｂの磁着力は拭取体４を透過しホワイトボード用イレーザー１の荷重を磁着支持可能で且つ消去作業時には容易にスライド動作できる程度であるため、図４に示すように、ホワイトボード用イレーザー１をホワイトボード８に容易に磁着可能で且つ落下することなく、また消去作業時には容易にスライド動作ができる。尚、本実施の形態において磁石体は、多面柱体３の対向する二面に配置しているが、全ての面に配置してもよいし、一面のみに配置してもよい。
【００２８】
イレーザー本体２が収納される把持部材としてのケース体６は、例えばＡＢＳ樹脂等の合成樹脂で形成された比較的軽量で長手方向の一面が開口した箱型のケース構造であって、その内部にイレーザー本体２を着脱可能になっている。ケース体６の長手方向および幅方向の長さはイレーザー本体２とほぼ同等のサイズに形成され、且つ、ケース体６の深さはイレーザー本体２の２／３程度を覆うサイズに形成されている。したがって、図３に示すようにイレーザー本体２を収納すると弾性構造のイレーザー本体２の２／３程度がケース体６の内部にぴったりと納まるとともにケース体６がイレーザー本体２の上方を挟持し脱落を防止する構造になっている。
【００２９】
さらに、ケース体６は底部から開口部にかけてなだらかに広がる傾斜を有しており、開口部の辺部にはフランジ７が形成されていて、イレーザー本体２の脱落を防止するとともに着脱時の滑りを助けイレーザー本体２の着脱作業を容易にしている。
【００３０】
このホワイトボード用イレーザー１の使用状態を説明する。図１乃至図４に示すように磁石体５ａが埋設されている側が下面となるようにケース体６内にイレーザー本体２を収納してホワイトボード８に磁着する。さらに文字等を消去する場合には、ケース体６を把持して拭取体４をホワイトボード８に当接した状態でホワイトボード用イレーザー１をスライドさせて消去作業を行う。
【００３１】
磁石体５ａ側の拭取体２が汚れた場合には、図２に示すようにイレーザー本体２を一度ケース体６から外して反転し、未使用
の磁石体５ｂ側の面が下面となるように再びケース体６内に収納する。こうすることで本実施の形態においては磁石体５ａ、５ｂを埋設した二面を磁着および拭取可能な面として使用することができる。尚、磁石体を例えば四面に配置した場合には、四面が磁着可能となり、これに対応する面の拭取体で文字等を消すことが可能である。
【００３２】
ホワイトボード用イレーザー１で大きな文字等を消すときには拭取体４をホワイトボード８に当接させながらホワイトボード用イレーザー１の長手方向と直交する方向に引けば一度に広い面積に書かれた文字等を消去することができ、狭いスペースに書かれた文字等を消すときには長手方向と垂直方向に引けば隣接する文字等を消去することなく、所望の文字等のみを消去することができる。
【図面の簡単な説明】
【００３３】
【図１】本願考案の第一の実施の形態を示すホワイトボード用イレーザーの斜視図。
【図２】図１に示すホワイトボード用イレーザーの分解斜視図。
【図３】図１に示すホワイトボード用イレーザーの幅方向断面図。
【図４】図１に示すホワイトボード用イレーザーをホワイトボードに磁着した状態を示す斜視図。
【符号の説明】
【００３４】
１  ホワイトボード用イレーザー
２  イレーザー本体
３  多面柱体
４  拭取体
５  磁石体
６  ケース体
７  フランジ
８  ホワイトボード
【図１】
0003114992.tif 000003
【図２】
0003114992.tif 000004
【図３】
0003114992.tif 000005
【図４】
0003114992.tif 000006